(57)【要約】【課題】  デジタルデータ用の記録担体をコピーから保護する方法を提供する。【解決手段】  第１の所定の制限値を上回り、第２の所定の制限値を下回る累積ＤＳＶを有するチャンネルビットに符号化される少なくとも１つの所定の繰返しビットパターンを決定し、記録デジタルデータの少なくとも一部を少なくとも１つの所定の繰返しビットパターンによって置換し、及び／又は記録デジタルデータの少なくとも一部に少なくとも１つの所定の繰返しビットパターンを挿入し、少なくとも１つの置換及び／又は挿入された部分を含む記録デジタルデータを、マスタリングプロセスによって、少なくとも１つの置換及び／又は挿入された部分において累積ＤＳＶが第１の所定の制限値を上回り、第２の所定の制限値を下回るように書き込む。
2005523544.tif 000002
【特許請求の範囲】
【請求項１】
デジタルデータ用のコピープロテクトされた記録担体を製造する記録担体製造方法において、
第１の所定の制限値を上回り、第２の所定の制限値を下回る累積ＤＳＶを有するチャンネルビットに符号化される少なくとも１つの所定の繰返しビットパターンを決定するステップと、
記録デジタルデータの少なくとも一部を上記少なくとも１つの所定の繰返しビットパターンによって置換し、及び／又は該記録デジタルデータの少なくとも一部に該少なくとも１つの所定の繰返しビットパターンを挿入するステップと、
上記少なくとも１つの置換及び／又は挿入された部分を含む記録デジタルデータを、マスタリングプロセスによって、該少なくとも１つの置換及び／又は挿入された部分において上記累積ＤＳＶが上記第１の所定の制限値を上回り、上記第２の所定の制限値を下回るように書き込むステップとを有する記録担体製造方法。
【請求項２】
上記所定の繰返しビットパターンは、書込可能な記録担体用の記録担体記録装置における書込ビームの理想的な位置からの書込ビームの異常な偏りが、書込処理を確実に中止させ又は妨害するように十分大きくなるように選択されることを特徴とする請求項１記載の記録担体製造方法。
【請求項３】
上記所定の繰返しビットパターンは、書込可能な記録担体に記録され、及びコピープロテクトされた記録担体のコピーを読み出す記録担体読出装置の読出ビームの理想的な位置からの読出ビームの異常な偏りが、読出処理を確実に中止させ又は妨害するように十分大きくなるように選択されることを特徴とする請求項１又は２記載の記録担体製造方法。
【請求項４】
上記所定の繰返しビットパターンは、書込可能な記録担体用の記録担体記録装置における書込ビームの理想的な位置からの書込ビームの異常な偏りと、書込可能な記録担体に記録され、及びコピープロテクトされた記録担体のコピーを読み出す記録担体読出装置の読出ビームの理想的な位置からの読出ビームの異常な偏りとを組み合わした効果が、読出処理を確実に中止させ又は妨害するように十分大きくなるように選択されることを特徴とする請求項１乃至３いずれか１項記載の記録担体製造方法。
【請求項５】
上記所定の繰返しビットパターンは、上記コピープロテクトされた記録担体からデータを読み出す記録担体読出装置の読出ビームの理想的な位置からの読出ビームの異常な偏りが、該コピープロテクトされた記録担体からの読出が可能となるように十分小さくなるように選択されることを特徴とする請求項１乃至４いずれか１項記載の記録担体製造方法。
【請求項６】
上記所定の繰返しビットパターンは、選択される結合ビットが予め定義されており、記録担体のデジタルデータコンテンツの設計規則のために、記録装置の記録回路によっては、変更不可能となるように選択されることを特徴とする請求項１乃至５いずれか１項記載の記録担体製造方法。
【請求項７】
上記所定の繰返しビットパターンは、上記デジタルデータに対応する信号が所定の時間内に所定の正又は負のＤＳＶを示すように選択されることを特徴とする請求項１乃至６いずれか１項記載の記録担体製造方法。
【請求項８】
上記デジタルデータがオーディオデータである場合、上記所定の繰返しビットパターンは、アナログオーディオＤＣ値が低くなるように選択されることを特徴とする請求項１乃至７いずれか１項記載の記録担体製造方法。
【請求項９】
上記デジタルデータがオーディオデータである場合、上記所定の繰返しビットパターンは、全てのオーディオチャンネルにおいて、アナログのオーディオＤＣ値が等しくなるように選択されることを特徴とする請求項１乃至８いずれか１項記載の記録担体製造方法。
【請求項１０】
上記デジタルデータがオーディオデータである場合、上記所定の繰返しビットパターンは、上記デジタルデータに対応するアナログオーディオ出力信号が、人間には全く又は殆ど聞こえない周波数及び／又は振幅を有するように選択されることを特徴とする請求項１乃至９いずれか１項記載の記録担体製造方法。
【請求項１１】
上記デジタルデータがオーディオデータである場合、上記所定の繰返しビットパターンの前後に、前後のデジタルデータ信号成分からの及びへの該所定の繰返しビットパターンの信号成分の円滑な遷移を保証するランプ信号が付加されることを特徴とする請求項１乃至１０いずれか１項記載の記録担体製造方法。
【請求項１２】
コンピュータ又はデジタルシグナルプロセッサにより実行されて請求項１乃至１１いずれか１項記載の記録担体製造方法を実行するコンピュータプログラムを備えるコンピュータプログラム製品。
【請求項１３】
コピープロテクトされた記録担体を製造する記録担体製造装置において、
記録デジタルデータの少なくとも一部を、第１の所定の制限値を上回り、第２の所定の制限値を下回る累積ＤＳＶを有するチャンネルビットに符号化される少なくとも１つの所定の繰返しビットパターンによって置換し、及び／又は該記録デジタルデータの少なくとも一部に該少なくとも１つの所定の繰返しビットパターンを挿入する第１のユニットと、
上記少なくとも１つの置換及び／又は挿入された部分を含む記録デジタルデータを、マスタリングプロセスによって、該少なくとも１つの置換及び／又は挿入された部分において上記累積ＤＳＶが上記第１の所定の制限値を上回り、上記第２の所定の制限値を下回るように書き込む第２のユニットとを備える記録担体製造装置。
【請求項１４】
少なくとも一部が第１の所定の制限値を上回り、第２の所定の制限値を下回る累積ＤＳＶを有するチャンネルビットに符号化される少なくとも１つの所定の繰返しビットパターンを含むコピープロテクトされた記録担体。
【請求項１５】
コピープロテクトされた記録担体に記録されているデジタルデータを記録可能な記録担体にコピーするコピー方法において、
上記記録可能な記録担体にコピーするデジタルデータにおいて第１の所定の制限値を上回り、第２の所定の制限値を下回る累積ＤＳＶを有するチャンネルビットに符号化される少なくとも１つの所定の繰返しビットパターンを含む少なくとも一部を検索するステップと、
上記少なくとも一部を、上記第１の所定の制限値を下回る累積ＤＳＶを有するチャンネルビットに符号化されるビットパターンに置換し、又は該少なくとも一部を削除するステップとを有するコピー方法。
【請求項１６】
コピープロテクトされた記録担体に記録されているデジタルデータを記録可能な記録担体にコピーするコピー方法において、
上記記録可能な記録担体にコピーするデジタルデータにおいて第１の所定の制限値を上回り、第２の所定の制限値を下回る累積ＤＳＶを有するチャンネルビットに符号化される少なくとも１つの所定の繰返しビットパターンを含む少なくとも一部を検索するステップと、
最適化なされていない少なくとも一部を、上記第１の所定の制限値を下回る累積ＤＳＶを有するチャンネルビットに符号化するステップとを有するコピー方法。
【請求項１７】
コンピュータ又はデジタルシグナルプロセッサにより実行されて請求項１５又は１６記載のコピー方法を実行するコンピュータプログラムを備えるコンピュータプログラム製品。
【請求項１８】
請求項１７記載のコンピュータプログラム製品を含むコンピュータストレージ装置。
【請求項１９】
コピープロテクトされた記録担体に記録されているデジタルデータを記録可能な記録担体にコピーするコピー装置において、
上記記録可能な記録担体にコピーするデジタルデータにおいて第１の所定の制限値を上回り、第２の所定の制限値を下回る累積ＤＳＶを有するチャンネルビットに符号化される少なくとも１つの所定の繰返しビットパターンを含む少なくとも一部を検索する検索ユニットと、
上記少なくとも一部を、上記第１の所定の制限値を下回る累積ＤＳＶを有するチャンネルビットに符号化されるビットパターンに置換し、又は該少なくとも一部を削除する置換ユニットとを備えるコピー装置。
【請求項２０】
コピープロテクトされた記録担体に記録されているデジタルデータを記録可能な記録担体にコピーするコピー装置において、
上記記録可能な記録担体にコピーするデジタルデータにおいて第１の所定の制限値を上回り、第２の所定の制限値を下回る累積ＤＳＶを有するチャンネルビットに符号化される少なくとも１つの所定の繰返しビットパターンを含む少なくとも一部を検索する検索ユニットと、
最適化されていない少なくとも一部を、上記第１の所定の制限値を下回る累積ＤＳＶを有するチャンネルビットに符号化する符号化ユニットとを備えるコピー装置。
【発明の詳細な説明】
【技術分野】
【０００１】
本発明は、デジタルデータを非同期信号として記録する記録担体（record carriers）、すなわち記録媒体（storage media）、例えば既存の又は将来の全てのフォーマットのコンパクトディスク（ＣＤ）、デジタルバーサタイルディスク（ＤＶＤ）及び同様の概念に基づいて機能するこの他の光記録媒体を含むＣＤ、ＤＶＤ等におけるコピープロテクト方法に関する。
【０００２】
特に、本発明に係るコピープロテクト方法では、物理的なコピーを作り、すなわち記録媒体のコンテンツの完全なデータイメージを作成することができるが、物理的なコピー自体には、アクセスできず、又はアクセスが妨害され、又は誤り率が大幅に高くなり、コピーされたオーディオＣＤの音楽コンテンツが享受できないようにすることができる。
【背景技術】
【０００３】
一方又は両方の面に情報が記録されている光記録ディスクが様々な目的、特に音楽、ゲーム、ビデオ及びコンピュータ等の分野で用いられるようになった。デジタル情報は、ディスクの一方又は両方の面に、環状、すなわち同心円状のトラックに沿って配列されたピットの形式として記録される。トラックは、通常、内側から外側に向けて読み出され、なお、幾つかの光記録媒体では、既に採用されているように外側から内側に向けて読み出されることもある。
【０００４】
トラック上のデータ自体は、長さが等しく、同じ量の情報を含むフレームに分割されている。各フレームは、光記録媒体の種類（ＣＤ、ＤＶＤ等）によって専用のレイアウトを有する。このようなフレームは、常にユーザデータシンボルを含んでいるが、この他に、同期のためのデータ、データシンボル間の結合データ（merging data）、誤り訂正データ等を含むことができる。
【０００５】
光記録媒体上の信号自体は、非同期であり、これは、復号処理の同期において、タイミング情報、パリティデータ又は他のデータを信号から見付け出さなければないことを意味している。
【０００６】
記録媒体のこの性質のために、このような記録媒体は、容易にコピーを作ることができる。このような状況に対処するために、各記録媒体自体に記録されるキー又はパスワードを用いて無許可のアクセスを防ぐ様々なコピープロテクト方式が提案されている。更に、コピー処理の間に修復される無効な情報を書き込み、この無効な情報の有無によって、その光ディスクがオリジナルのものであるかコピーであるかをアプリケーションが判定できるようにして光ディスクを保護する方法も提案されている。
【０００７】
更に、米国特許第６，００５，８３９号明細書には光記録担体、特にＤＶＤ用のコピープロテクト方式が開示されており、このコピープロテクト方式では、同期パターンを正規の位置とは異なる位置に挿入することによって、又は光記録担体の特定の領域又はセクタの正規の位置に標準の同期パターンとは異なる同期パターンを挿入することによって、直接コピーし、又は一旦ダンプしてコピー（dump copying）することを防止している。このような記録担体を影響なく再生するには、記録担体、できればテーブルオブコンテンツ（Table Of Contents：ＴＯＣ）領域に記録されている位置指示情報（再生妨害領域を指示する）に基づき、擬似同期パターンが記録されている再生妨害領域をスキップする必要がある。
【０００８】
更に、引用により本願に援用される国際特許出願ＷＯ０１／７８０７４号には、読出装置を混乱させるデータを生成して、記録担体の少なくとも一カ所の特定の部分、例えばシーケンスの最初の部分に書き込む方法が開示されている。これにより、異なるフォーマットの記録担体、例えばＣＤ−ＲＯＭにアクセスすることができる汎用の読出装置は、このような記録担体にアクセスしようとしても、記録担体にアクセスできない、すなわちこの教示に基づく記録担体には、このような追加的に生成されたデータが記録された少なくとも一カ所の特別な部分があると判断する。
【０００９】
更に、この教示に基づく読出器機を混乱させるこのような追加データを、その種類の記録担体用に設計されている読出装置、例えばオーディオＣＤ用の通常のオーディオＣＤプレーヤによってはアクセスされず、汎用の読出装置、例えばＣＤ−ＲＯＭ読出装置によっては常にアクセスされる領域に挿入することにより、これらの読出装置は、記録担体からのデータの読出又は記録担体へのアクセスを中止する。
【００１０】
しかしながら、このような記録担体は、例えばＣＤ−ＲＯＭ読出装置等によってはアクセスできないため、これらの記録担体をコンピュータで再生することを望むユーザを満足させることはできない。
【００１１】
参照により本願に援用される米国特許第５，６９９，４３４号には、チャンネルビットに符号化されたときに、所謂ＤＳＶ（digital sum variance）が大きく累積されるようなシンボルのシーケンスを選択して、元のデータに付加することにより、デジタルデータのコピーを禁止する方法が開示されている。そして、再生時に問題が生じない、シンボルのシーケンスは、ＤＳＶが大きく累積されない特別なチャンネルビットを生成する特別なエンコーダによって符号化される。一方、コピー又は更なる記録を目的として、シンボルのシーケンスが付加されたデータを通常に符号化すると、すなわち再符号化すると、ＤＳＶが大きく累積されるチャンネルビットが生成される可能性が高い。生成されたＤＳＶを用いて、例えばそれらの符号により、追加データを符号化することができ、これにより、他のエンコーダが同じ元のデータを符号化すると、元のデータを復号又はデスクランブルし、若しくは元のデータにこの他の変更を加えるために用いられるこの追加データを含んでいないチャンネルビットが生成される。更に、この文献には、他のエンコーダが同じ元のデータをチャンネルビットに符号化すると、再生できないことも説明されている。
【００１２】
しかしながら、このコピープロテクト方法では、通常は、好ましくない所定の限界を超えるＤＳＶを累積するチャンネルビットに符号化されるように選択されたシンボルのシーケンスを、所定の限界を超えないＤＳＶを累積するチャンネルビットに符号化する特別なエンコーダが必要である。この方法では、このように特別に設計されたエンコーダが必要とされ、コストが高くなってしまう。
【発明の開示】
【発明が解決しようとする課題】
【００１３】
本発明は、上述した問題に鑑みてなされたものであり、本発明の目的は、デジタルデータを非同期信号として記録する記録担体のための更なるコピープロテク方式を提供することである。
【課題を解決するための手段】
【００１４】
本発明に係るデジタルデータ用のコピープロテクトされた記録担体を製造する記録担体製造方法は、独立請求項１によって定義される。本発明の好ましい実施の形態は、従属請求項２〜１１によって定義される。本発明に係るコピープロテクトされた記録担体を製造する記録担体製造装置は、独立請求項１３によって定義され、本発明に係るコピープロテクトされた記録担体は、独立請求項１４によって定義される。本発明に係るコンピュータプログラム製品は、請求項１２によって定義される。
【００１５】
独立請求項１５及び１６は、本発明に基づいてコピープロテクトされた記録担体に記録されているデジタルデータを記録可能な記録担体にコピーするコピー方法、すなわち本発明に基づくコピープロテクトを回避する方法を定義している。これに対応するコンピュータプログラム製品は、請求項１７によって定義され、請求項１８は、このようなコンピュータプログラム製品を含むコンピュータストレージ装置を定義している。請求項１９及び２０は、これに対応する、本発明に基づいてコピープロテクトされた記録担体に記録されているデジタルデータを記録可能な記録担体にコピーするコピー装置を定義している。
【００１６】
本発明に係るデジタルデータ用のコピープロテクトされた記録担体を製造する記録担体製造方法において、第１の所定の制限値を上回り、第２の所定の制限値を下回る累積ＤＳＶを有するチャンネルビットに符号化される少なくとも１つの所定の繰返しビットパターンを決定するステップと、記録デジタルデータの少なくとも一部を少なくとも１つの所定の繰返しビットパターンによって置換し、及び／又は記録デジタルデータの少なくとも一部に少なくとも１つの所定の繰返しビットパターンを挿入するステップと、少なくとも１つの置換及び／又は挿入された部分を含む記録デジタルデータを、マスタリングプロセスによって、少なくとも１つの置換及び／又は挿入された部分において累積ＤＳＶが第１の所定の制限値を上回り、第２の所定の制限値を下回るように書き込むステップとを有する。
【００１７】
これにより、本発明では、理想的には０であるＤＳＶ又は連続したデジタルサム（running digital sum：ＲＤＳ）が第１の所定の制限値を上回るために、連続するピット又はランドの平均比率を上回る所定の比率を生じさせる少なくとも１つの所定のビットパターンが光記録担体の少なくとも一部に書き込まれる。一方、第２の所定の制限値の定義により、許容可能な又は訂正可能な誤りが含まれる場合もあるが、本発明に係る記録担体へのアクセス可能性が保証される。第１の所定の制限値は、所定のビットパターンのコピーが書込可能な記録担体に記録されたときに、ＤＳＶの累計的な結果が第１の所定の制限値を超えることによって、トラッキングサーボへの妨害が増え、このコピーにアクセスすることができない、又はアクセスが妨害されるように選択する必要があり、これによって、例えばコピーされたオーディオＣＤの音楽コンテンツが心地よく再生されないようになる。このトラッキングサーボへの妨害を増やすことは、書込可能な光記録担体のウォブルされたグルーブによるトラッキングエラー信号と、正規のビットパターンからなる正規のピット／ランドパターンから生じるトラックトラッキング信号との間の干渉によって生じる影響であってもよい。
【００１８】
オーディオＣＤの場合には、好ましくは、異なるオーディオチャンネルに対しては異なる所定のビットパターンが用いられ、置換するデジタルデータの少なくとも一部は無音のデジタルオーディオデータであり、置換するデジタルデータの少なくとも一部は、読出ビームがジャンプする（可能な）目標位置である記録担体の部分に配置され、置換するデジタルデータの少なくとも一部は、デジタルオーディオデータのトラック（曲）の導入部分に配置され、及び／又は置換するデジタルデータの少なくとも一部はデジタルオーディオデータのトラック（曲）の最後の部分に配置されるように、所定のビットパターンは、デジタルデータに含まれ、すなわちデジタルデータに挿入され又は他のデジタルデータを置換する。
【００１９】
所定のビットパターンは、繰り返され、すなわち好ましくは置換又は挿入された部分が以下の条件を満たすように、所定数のビットが所定回数繰り返される。すなわち、この条件は、繰り返される所定のビットパターンがアクセスを確実に妨害し又は中止させるのに十分な長さを有し、デジタルデータがオーディオデータである場合、全く又は殆ど聞こえない信号が生成され、更に好ましくは、所定の繰返しビットパターンの前後に、前後のデジタルデータ信号成分からの及びへの所定の繰返しビットパターンの信号成分の円滑な遷移を保証するランプ信号が付加され、及び／又は繰返しビットパターンの順序が、レッドブック又はＩＥＣ−９０８にそれぞれ記載されているＣＩＲＣエンコーダに基づいてインタリーブした後に通常のビットパターンになるというものである。
【００２０】
ＣＤ−ＲＯＭの場合、置換するデジタルデータの少なくとも一部は、通常０データによって埋められている領域に対応し、置換するデジタルデータの少なくとも一部は、読出ビームがジャンプする（可能な）目標位置である記録担体の部分に配置され、置換するデジタルデータの少なくとも一部は、記録担体への通常のアクセス時には読出ビームによってアクセスされない部分に配置され、及び／又は置換するデジタルデータの少なくとも一部はダミーデータとして、データファイルの最後又はディレクトリ記録部分に配置されるように、所定のビットパターンは、デジタルデータに含まれ、すなわちデジタルデータに挿入され又は他のデジタルデータを置換する。
【００２１】
本発明に係る記録担体製造方法では、所定の繰返しビットパターンは、好ましくは、書込可能な記録担体用の記録担体記録装置における書込ビームの理想的な位置からの書込ビームの異常な偏りが、書込処理を確実に中止させ又は妨害するように十分大きくなるように選択される。
【００２２】
これに代えて、又はこれに加えて、本発明に係る記録担体製造方法では、所定の繰返しビットパターンは、好ましくは、書込可能な記録担体に記録され、及びコピープロテクトされた記録担体のコピーを読み出す記録担体読出装置の読出ビームの理想的な位置からの読出ビームの異常な偏りが、読出処理を確実に中止させ又は妨害するように十分大きくなるように選択される。
【００２３】
これに代えて、又はこれに加えて、本発明に係る記録担体製造方法では、所定の繰返しビットパターンは、好ましくは、書込可能な記録担体用の記録担体記録装置における書込ビームの理想的な位置からの書込ビームの異常な偏りと、書込可能な記録担体に記録され、及びコピープロテクトされた記録担体のコピーを読み出す記録担体読出装置の読出ビームの理想的な位置からの読出ビームの異常な偏りとを組み合わした効果が、読出処理を確実に中止させ又は妨害するように十分大きくなるように選択される。
【００２４】
これに代えて、又はこれに加えて、本発明に係る記録担体製造方法では、所定の繰返しビットパターンは、好ましくは、コピープロテクトされた記録担体からデータを読み出す記録担体読出装置の読出ビームの理想的な位置からの読出ビームの異常な偏りが、コピープロテクトされた記録担体からの読出が可能となるように十分小さくなるように選択される。上述のように、読出が可能であるということは、読出エラーが許容可能であり、又は訂正可能であることを意味する。
【００２５】
更に、本発明に係る記録担体製造方法では、所定の繰返しビットパターンは、好ましくは、選択される結合ビットが予め定義されており、記録担体のデジタルデータコンテンツの設計規則のために、記録装置の記録回路によっては、変更不可能となるように選択される。これは、記録装置の記録回路からの結合ビットが、本発明に基づく条件を満たす、すなわち記録回路がこれらの結合ビットを選択しても、可能な限る小さなＤＳＶが生じさせるという所望の効果が得られる所定の結合ビットのグループから、選択される場合を含んでいる。所定の結合ビットのこのようなグループは、１００、０１０、００１であり、これらは全て、反転される位置は変化するが、後続するビットが反転されるという同様の効果を有する。この「可変（variable）」の位置のために、ＤＳＶもある範囲内で変化する。一般的に、記録装置の記録回路は、最低の累積ＤＳＶを生成する結合ビットを選択するが、記録回路は、本発明に基づく条件を満たす所定のビットパターンを選択することもできる。
【００２６】
これに代えて、又はこれに加えて、本発明に係る記録担体製造方法では、所定の繰返しビットパターンは、好ましくは、デジタルデータに対応する信号が所定の時間内に所定の正又は負のＤＳＶを示すように選択される。
【００２７】
これに代えて、又はこれに加えて、本発明に係る記録担体製造方法では、デジタルデータがオーディオデータである場合、所定の繰返しビットパターンは、好ましくは、アナログオーディオＤＣ値が低くなるように選択される。
【００２８】
これに代えて、又はこれに加えて、本発明に係る記録担体製造方法では、デジタルデータがオーディオデータである場合、所定の繰返しビットパターンは、好ましくは、アナログオーディオＤＣ値が低くなるように選択される。
【００２９】
これに代えて、又はこれに加えて、本発明に係る記録担体製造方法では、デジタルデータがオーディオデータである場合、所定の繰返しビットパターンは、好ましくは、デジタルデータに対応するアナログオーディオ出力信号が、人間には全く又は殆ど聞こえない周波数及び／又は振幅を有するように選択される。
【００３０】
これに代えて、又はこれに加えて、本発明に係る記録担体製造方法では、デジタルデータがオーディオデータである場合、好ましくは、所定の繰返しビットパターンの前後に、前後のデジタルデータ信号成分からの及びへの所定の繰返しビットパターンの信号成分の円滑な遷移を保証するランプ信号が付加される。
【００３１】
これに対応する本発明に係るコンピュータプログラム製品は、コンピュータ又はデジタルシグナルプロセッサにより実行されて、上述の記録担体製造方法を実行するコンピュータプログラムを備える。なお、本発明に係る記録担体製造方法のステップの一部、例えば、少なくとも１つの所定の繰返しビットパターンを検出するステップは、本発明に基づくコンピュータプログラム製品によって実行しなくてもよく、すなわち、所定の繰返しビットパターンは、コンピュータプログラム製品以外によって、例えば試行錯誤によって実行してもよい。もちろん、所定の繰返しビットパターンは、上述した設計規則に則り、本発明に係るコンピュータプログラム製品以外によって検出してもよい。
【００３２】
また、本発明に係る記録担体製造装置は、コピープロテクトされた記録担体を製造する記録担体製造装置において、記録デジタルデータの少なくとも一部を、第１の所定の制限値を上回り、第２の所定の制限値を下回る累積ＤＳＶを有するチャンネルビットに符号化される少なくとも１つの所定の繰返しビットパターンによって置換し、及び／又は記録デジタルデータの少なくとも一部に少なくとも１つの所定の繰返しビットパターンを挿入する第１のユニットと、少なくとも１つの置換及び／又は挿入された部分を含む記録デジタルデータを、マスタリングプロセスによって、少なくとも１つの置換及び／又は挿入された部分において累積ＤＳＶが第１の所定の制限値を上回り、第２の所定の制限値を下回るように書き込む第２のユニットとを備える。
【００３３】
所定の繰返しビットパターンは、本発明に係る記録担体製造方法について上述したように生成し及び／又は上述したような特徴を有していてもよい。
【００３４】
また、本発明に係るコピープロテクトされた記録担体は、少なくとも一部が第１の所定の制限値を上回り、第２の所定の制限値を下回る累積ＤＳＶを有するチャンネルビットに符号化される少なくとも１つの所定の繰返しビットパターンを含む。
【００３５】
所定の繰返しビットパターンは、本発明に係る記録担体製造方法について上述したように生成し及び／又は上述したような特徴を有していてもよい。本発明に係る記録担体は、例えばＣＤ又はＤＶＤ等の光記録担体であることが好ましい。
【００３６】
本発明に係るコピープロテクト方法は、本発明に係る記録担体に含まれている所定の繰返しビットパターンを除去、置換又は再符号化することによって回避するすることができる。このためには、本発明に基づく所定の繰返しビットパターンを検索し処理する必要がある。
【００３７】
したがって、本発明に係るコピープロテクト方法は、コピープロテクトされた記録担体に記録されているデジタルデータを記録可能な記録担体にコピーするコピー方法において、記録可能な記録担体にコピーするデジタルデータにおいて第１の所定の制限値を上回り、第２の所定の制限値を下回る累積ＤＳＶを有するチャンネルビットに符号化される少なくとも１つの所定の繰返しビットパターンを含む少なくとも一部を検索するステップと、この少なくとも一部を、第１の所定の制限値を下回る累積ＤＳＶを有するチャンネルビットに符号化されるビットパターンに置換し、又は少なくとも一部を削除するステップとを有する。
【００３８】
また、本発明に係るコピー方法は、コピープロテクトされた記録担体に記録されているデジタルデータを記録可能な記録担体にコピーするコピー方法において、記録可能な記録担体にコピーするデジタルデータにおいて第１の所定の制限値を上回り、第２の所定の制限値を下回る累積ＤＳＶを有するチャンネルビットに符号化される少なくとも１つの所定の繰返しビットパターンを含む少なくとも一部を検索するステップと、最適化なされていない少なくとも一部を、第１の所定の制限値を下回る累積ＤＳＶを有するチャンネルビットに符号化するステップとを有する。
【００３９】
これに対応する本発明に係るコンピュータプログラム製品は、コンピュータ又はデジタルシグナルプロセッサにより実行されて、上述のコピープロテクト方法を実行するコンピュータプログラムを備える。
【００４０】
また、本発明に係るコンピュータストレージ装置は、上述したコンピュータプログラム製品を含む。
【００４１】
更に、本発明に係るコピー装置は、コピープロテクトされた記録担体に記録されているデジタルデータを記録可能な記録担体にコピーするコピー装置において、記録可能な記録担体にコピーするデジタルデータにおいて第１の所定の制限値を上回り、第２の所定の制限値を下回る累積ＤＳＶを有するチャンネルビットに符号化される少なくとも１つの所定の繰返しビットパターンを含む少なくとも一部を検索する検索ユニットと、この少なくとも一部を、第１の所定の制限値を下回る累積ＤＳＶを有するチャンネルビットに符号化されるビットパターンに置換し、又は少なくとも一部を削除する置換ユニットとを備える。
【００４２】
或いは、本発明に係るコピー装置は、コピープロテクトされた記録担体に記録されているデジタルデータを記録可能な記録担体にコピーするコピー装置において、記録可能な記録担体にコピーするデジタルデータにおいて第１の所定の制限値を上回り、第２の所定の制限値を下回る累積ＤＳＶを有するチャンネルビットに符号化される少なくとも１つの所定の繰返しビットパターンを含む少なくとも一部を検索する検索ユニットと、最適化されていない少なくとも一部を、第１の所定の制限値を下回る累積ＤＳＶを有するチャンネルビットに符号化する符号化ユニットとを備える。
【００４３】
この明細書では、チャンネルビットという用語は、非同期信号としてのデジタルデータに関する様々な制約条件を満たすビットパターンについて用いられる。このような制約条件としては、例えば、記録密度と誤り率の間のトレードオフ、許容可能な最大の反転周波数、自己クロッキング、所謂ＲＬＬ（run length limited：）コードの、例えばコンパクトディスクに通常採用されている（２，１０）−ＲＬＬコードの、すなわち符号化されたビットパターンにおいて連続するゼロの数は少なくとも２であり、１０を超えてはならにというコードの所謂ＮＲＺＩ（Non Return to Zero Inverted）フォーマット、及び読出信号の低周波成分に関する制限値の条件等がある。
【００４４】
本発明によれば、読出装置は、第１の所定の制限値を上回り、第２の所定の制限値を下回る累積ＤＳＶを示すビットパターンを含む記録担体を正しく読み出すことができる。第１の所定の制限値を決定し、このビットパターンを機械的に記録可能な記録担体上に記録すると、上述したトラッキングサーボへの妨害が増えることにより、このコピーにアクセスできなくなり、又は、例えばコピーされたオーディオＣＤの音楽コンテンツが心地よく再生されないようにアクセスが妨害される。したがって、マスタリングプロセスによって製造される本発明に基づく記録担体は、累積ＤＳＶが所定の第２の制限値を下回り、上述のようなトラッキングサーボへの妨害が増えることはなく、対応する記録担体読出装置によって、アクセスすることができるとともに、対応する記録可能な記録担体に記録されたコピーには、アクセスすることができない。
【００４５】
本明細書に組み込まれ、本明細書の一部を構成する添付の図面、上述した本発明の包括的な説明、及び以下に示す発明を実施するための最良の形態は、本発明の原理を説明するためのものである。
【発明を実施するための最良の形態】
【００４６】
以下、オーディオＣＤをＣＤ−Ｒにコピーすることを防止するために、オーディオＣＤの物理的なデータストリーム（physical data stream）を変更する方法の実施例を説明する。この物理的なデータストリームのフォーマットは、「レッドブック」仕様書及びＩＥＣ９０８に規定されている。
【００４７】
ＣＤの物理的なデータストリームは、誤りを低減し、復号機構を簡単にするために、様々な手法で最適化されている。すなわち、３〜１１ビット毎に信号を反転させる必要がある。これは、データシンボル内において、８−１４変調（Eight-to-Fourteen Modulation：以下、ＥＦＭ変調という。）によって保証されている。音声データは、８ビットシンボルに分割され、ＥＦＭ変調テーブルに基づいて１４ビットシンボルに変換される。このテーブルは、０が連続して２〜１０個入っているビットの組合せである２５６個の１４ビット値から構成される。この１４ビットシンボルにおける全ての「１」は、信号の反転を表す。また、シンボルを結合する際にも、この規則を確実に守るために、結合のための３ビットが挿入される。この３ビットは、状況に応じて選択しなくてはならない。これらの反転は、ＣＤ上では、ピット及びランドの形状で形式で確認することができる。ピット及びランドの長さは、それぞれ基本の長さの３倍から１１倍に制限される。
【００４８】
音声データの最後のフレーム、すなわちＣＤの生のセクタ（CD Raw sector）は、以下のデータを含んでいる。
【００４９】
【表１】
2005523544.tif 000003
【００５０】
上述したようなデジタル記録における様々な制約条件を充足するこれらのビット、すなわちチャンネルビットは、図１に示すように構成されている。１個のＣＤフレームにおけるデータの順序は以下の通りである。結合及び低周波成分抑圧用の補助的な３ビットを伴う２４ビットの同期パターンが設けられる。これに続いて、結合及び低周波成分抑圧用の補助的な３ビットを伴う１４ビットのサブコードデータが設けられる。これに続いて、結合及び低周波成分抑圧用の補助的な３ビットを伴う１４ビットの情報データが１２ブロック設けられる。これに続いて、結合及び低周波成分抑圧用の補助的な３ビットを伴う１４ビットのパリティデータが４ブロック設けられる。これに続いて、結合及び低周波成分抑圧用の補助的な３ビットを伴う１４ビットの情報データが１２ブロック設けられる。最後に、結合及び低周波成分抑圧用の補助的な３ビットを伴う１４ビットのパリティデータが４ブロック設けられる。
【００５１】
上述のように、本発明においては、繰返しビットパターン（repetitive bit pattern）を、データストリーム（オーディオサンプル又はデジタルデータであってもよい。）又は所定のデータ（例えば、オーディオサンプルが無音に対応する場合は、所定のビットパターンに置換される。）に挿入し、この所定の繰返しビットパターンを含んでいるマスタリングされた記録担体をコピーするための読出処理が中止又は妨害されるようにしている。また、上述のように、所定の繰返しビットパターンによって記録担体上に、等しく分布しないピット及びランドのパターン、すなわちピット部分がランド部分より多い、又はランド部分がピット部分より多いパターンを生成することにより、上述の効果が得られる。これは、基本的には置換又は挿入する「オーディオ又はデータのサンプル」の値を以下のように選択することによって達成される。すなわち、選択した値のサンプルをＥＦＭ変調して得られる所定のビットパターンが、通常は、オーディオサンプルに対応したビット間にはピット部分とランド部分の不一致が生じないことを保証する（２，１０）−ＲＬＬ規則を満たす所定の結合ビットしか挿入することができないという条件を好ましくは充足するようにオーディオ又はデータのサンプル値を選択するに対して、本発明ではピット部分とランド部分の不一致が生じるように、オーディオ又はデータのサンプル値を選択する。
【００５２】
以下、このように置換又は挿入される「オーディオサンプル値」の２つの具体例について、図２〜図４を用いて説明する。
【００５３】
図２ａに示す第１の実施例においては、記録デジタルデータの少なくとも一部、すなわち例えば無音のオーディオサンプルに挿入される又はこのオーディオサンプルを置換する挿入「オーディオサンプル」の値として、１６進値７０及び０１を用いている。結合された値７００１ｈ（ｈは、１６進法を示している）は、記録担体の少なくとも一部の累積ＤＳＶ（accumulated digital sum value）が第１の所定の制限値（limit）を上回り、第２の所定の制限値を下回るように、所定の期間内に少なくとも１回繰り返される。
【００５４】
値７０ｈは、ビットパターン０１１１００００ｂ（ｂは、２進法を示す）に対応しており、値０１ｈは、ビットパターン０００００００１ｂに対応している。ＥＦＭ変調の後、ビットパターン０１１１００００ｂは、ビットパターン１０００００００１０００１０ｂに変換され、ビットパターン０００００００１ｂは、ビットパターン１００００１００００００００ｂに変換される。
【００５５】
（２，１０）−ＲＬＬ規則により、３個の結合ビット（図２ａでは、結合ビットにアンダーラインを引いている。）としては、ＥＦＭ変調ビットパターン１０００００００１０００１０とＥＦＭ変調ビットパターン１００００１００００００００間では、０００のみが選択可能であり、ＥＦＭ変調ビットパターン１００００１００００００００とＥＦＭ変調ビットパターン１０００００００１０００１０間では、１００のみが選択可能である。
【００５６】
これら２つの連続した繰返しオーディオサンプルに対して得られるチャンネルビットは、図２ａの下段に示すようなビットストリームとなり、このビットストリームは、２２ビットのロー（ピット又はランド）と１２ビットのハイ（ランド又はピット）に対応する分布を有し、すなわち、１７：１７の理想的な分布ではなく、２２：１２の分布を有する。
【００５７】
繰返しビットパターン７００１ｈに対応するオーディオＤＣ値は、比較的低く、すなわち、実現可能な最大値を３２７６８と定義すると、オーディオＤＣ値を３６８とすることができる。このオーディオＤＣ値を図３に示す。図３ａは、所定の繰返しビットパターン７００１ｈのみによる所定のオーディオサンプルの挿入／置換によって得られるオーディオＤＣ値を示している。一方、図３ｂは、所定の繰返しビットパターン７００１ｈによる所定のオーディオサンプルの挿入／置換と、挿入／置換される部分に先行及び後続するＤＣ値からの及びオーディオＤＣ値への、この場合オーディオＤＣ値ゼロから及びオーディオＤＣ値ゼロへの滑らかな（可聴でない）変化を保証するための先行及び後続するランプ信号とによって得られるオーディオＤＣ値を示している。
【００５８】
図２ｂに示す第２の実施例においては、記録デジタルデータの少なくとも一部に、すなわち例えば無音のオーディオサンプルに挿入される又はこのオーディオサンプルを置換する挿入「オーディオサンプル」の値として、１６進値Ｄ９及び７Ａを用いている。第１の実施例と同様、結合された値Ｄ９７Ａｈは、記録担体の少なくとも一部の累積ＤＳＶが第１の所定の制限値を上回り、第２の所定の制限値を下回るように、所定の期間内に少なくとも１回繰り返される。
【００５９】
値のＤ９ｈは、ビットパターン１１０１１００１ｂに対応しており、値の７Ａｈは、ビットパターン０１１１１０１０ｂに対応している。ＥＦＭ変調の後、ビットパターン１１０１１００１ｂは、ビットパターン１００００００００１０００１ｂに変換され、ビットパターン０１１１１０１０ｂは、ビットパターン１００１００００００００１０ｂに変換される。
【００６０】
（２，１０）−ＲＬＬ規則により、３個の結合ビット（図２ｂでは、結合ビットにアンダーラインを引いている。）としては、ＥＦＭ変調ビットパターン１００００００００１０００１とＥＦＭ変調ビットパターン１００１００００００００１０間では、０００のみが選択可能であり、ＥＦＭ変調ビットパターン１００１００００００００１０とＥＦＭ変調ビットパターン１００００００００１０００１間では、０００のみが選択可能である。
【００６１】
これら２つの連続した繰返しオーディオサンプルに対して得られるチャンネルビットは、図２ｂの下段に示すようなビットストリームとなり、このビットストリームは、１２ビットのロー（ピット又はランド）及び２２ビットのハイ（ランド又はピット）に対応する分布を有し、すなわち、１７：１７の理想的な分布ではなく、１２：２２の分布を有する。
【００６２】
繰返しビットパターンＤ９７Ａｈに対応するオーディオＤＣ値は、比較的高く、すなわち、実現可能な最大値を３２７６８と定義すると、オーディオＤＣ値を３１４４９とすることができる。このオーディオＤＣ値を図４に示す。図４ａは、所定の繰返しビットパターンＤ９７Ａｈのみによる所定のオーディオサンプルの挿入／置換によって得られるオーディオＤＣ値を示している。一方、図４ｂは、所定の繰返しビットパターンＤ９７Ａｈによる所定のオーディオサンプルの挿入／置換と、挿入／置換される部分に先行及び後続するＤＣ値からの及びオーディオＤＣ値への、この場合オーディオＤＣ値ゼロから及びオーディオＤＣ値ゼロへの滑らかな（可聴でない）変化を保証するための先行及び後続するランプ信号とによって得られるオーディオＤＣ値を示している。
【００６３】
もちろん、チャンネルビットに符号化したときの累積ＤＳＶが、第１の所定の制限値を上回り、第２の所定の制限値を下回るという普遍的な条件を満たす限り、オーディオサンプル値又はデジタルデータサンプル値の他の様々な組合せを用いることができる。
【００６４】
図５は、本発明に基づくオーディオ記録担体の製造方法の第１の実施例のフローチャートである。第１のステップＳ１において、例えば、所望のオーディオコンテンツとサブコードデータを格納しているデータベースから、記録ソースデータ及びサブコードを読み出す。これに続いて、第２のステップＳ２において、例えば、音楽トラック及び／又はポーズ部分の前及び／又は後に、ソースデータ、すなわち音声データにおいて本発明に基づくコピープロテクトパターンを挿入すべき位置を検出する。この位置の検出に続いて、第３のステップＳ３において、コピープロテクトパターンを選択及び生成し、これらをソースデータにおける選択位置に挿入又は付加する。次の第４のステップＳ４において、例えば適応される開始時間情報に従って、サブコードを適切に変更する。更に、次の第５のステップＳ５において、変更されたソースデータ（コピープロテクトパターンを含んでいる。）及び変更されたサブコードをマスタリングマシンの信号フィーダ線（signal feeder）に供給する。最後に、第６のステップＳ６において、スタンパを製作するのに必要な全ての工程を実行し、第７のステップＳ７において、スタンパからディスクを製造する。
【００６５】
図６は、本発明に基づくオーディオ記録担体の製造方法の第２の実施例のフローチャートである。第１のステップＳ８において、記録ソースデータ及びサブコードを読み出す（図５に示す第１の実施例の第１のステップＳ１と同様のステップである）。これに続いて、第２のステップＳ９において、ソースデータにおいて本発明に基づくコピープロテクトパターンを挿入すべき位置を検出する（図５に示す第１の実施例の第２のステップＳ２と同様のステップである）。この位置の検出に続いて、第３のステップＳ１０において、マスタリングマシンの信号フィーダ線に供給する変更テーブルを生成する。変更テーブルは、コピープロテクトパターンの位置と、これらのパターン自体とを含んでいる。更に、必要であれば、この変更テーブルにサブコードの変更に関する情報を含ませてもよい。最後に、第４のステップＳ１２おいて、スタンパを製作するのに必要な全ての工程を実行し、第５のステップＳ１３において、スタンパからディスクを製造する（図５に示す第１の実施例の第６のステップＳ６及び第７のステップＳ７と同様のステップである）。
【００６６】
図７は、本発明に基づくデジタルデータ記録担体の製造方法の実施例のフローチャートである。第１のステップＳ１４において、例えば、所望のデジタルデータコンテンツを格納しているデータベースから、記録ソースデータ及びサブコードを読み出す（図５に示す第１の実施例の第１のステップＳ１と同様のステップである）。これに続いて、第２のステップＳ１５において、ソースデータにおいて本発明に基づくコピープロテクトパターンを挿入すべき位置及び／又はファイルを検出する。この位置の検出に続いて、第３のステップＳ１６において、コピープロテクトパターンを選択及び生成し、これらをソースデータにおける選択位置及び／又は選択されたファイルに挿入又は付加する。次の第４のステップＳ１７において、結果的に変更されたファイルを含むソースデータを再フォーマットする。次の第５のステップＳ１８において、例えば適応される開始時間情報に従って、サブコードを適切に変更する。更に、次の第６のステップＳ１９において、変更されたソースデータ（コピープロテクトパターンを含んでいる。）及び変更されたサブコードをマスタリングマシンの信号フィーダ線に供給する。最後に、第７のステップＳ２０おいて、スタンパを製作するのに必要な全ての工程を実行し、第８のステップＳ２１において、スタンパからディスクを製造する（第５〜第８のステップＳ１８〜Ｓ２１は、光オーディオ記録担体を製造するための図５に示す第１の実施例の第４〜第７のステップＳ４〜Ｓ７と同様のステップである）。
【００６７】
図８は、本発明に基づくオーディオ記録担体をコピーする処理の第１の実施例のフローチャートである。第１のステップＳ２２において、例えば、オリジナルのオーディオ記録担体又はオリジナルのオーディオ記録担体のコンテンツを格納しているデータベースから、コピーするソースデータ及びサブコードを読み出す。次に、第２のステップＳ２３において、本発明に基づくコピープロテクトパターンを検出する。コピープロテクトパターンの検出の後、第３のステップＳ２４において、これらのパターンを他のパターンに置換し、又は削除する。次の第４のステップＳ２５において、必要であれば、例えば適応される開始時間情報に従って、サブコードを適切に変更する。更に次の第５のステップＳ２６において、変更されたソースデータ及び結果的に変更されたサブコードを例えばパーソナルコンピュータ等の光記録装置に供給する。最後に、第６のステップＳ２７において、光記録装置によって光ディスクにデータを記録する。
【００６８】
図９は、本発明に基づくオーディオ記録担体をコピーする処理の第２の実施例のフローチャートである。第１のステップＳ２８において、例えば、オリジナルのオーディオ記録担体又はオリジナルのオーディオ記録担体のコンテンツを格納しているデータベースから、コピーするソースデータ及びサブコードを読み出す。次に、第２のステップＳ２９において、本発明に基づくコピープロテクトパターンを検出する。コピープロテクトパターンの検出の後、第３のステップＳ３０において、これらのパターンを他のパターンに置換し、又は削除する。次の第４のステップＳ３１において、必要であれば、例えば適応される開始時間情報に従って、サブコードを適切に変更する（第１〜第４のステップＳ２８〜Ｓ３１は、図８に示す光オーディオ記録担体のコピー処理の第１の実施例における第１〜第４のステップＳ２２〜Ｓ２５と同様のステップである）。更に、次の第５のステップＳ３２において、変更されたソースデータ（コピープロテクトパターンを含んでいない。）及び変更されたサブコードをマスタリングマシンの信号フィーダ線に供給する。最後に、第６のステップＳ３３において、スタンパを製作するのに必要な全ての工程を実行し、第７のステップＳ３４において、スタンパからディスクを製造する。
【００６９】
図１０は、本発明に基づくデジタルデータ記録担体をコピーする処理の第１の実施例のフローチャートである。第１のステップＳ３５において、例えば、オリジナルのデジタルデータ記録担体又はオリジナルのデジタルデータ記録担体のコンテンツを格納しているデータベースから、コピーするソースデータ及びサブコードを読み出す。次に、第２のステップＳ３６において、本発明に基づくコピープロテクトパターンを検出する。コピープロテクトパターンの検出の後、第３のステップＳ３７において、これらのパターンを他のパターンに置換し、又は削除する（これらの第１〜第３のステップＳ３５〜Ｓ３７は、図８に示す光オーディオ記録担体のコピー処理の第１の実施例における第１〜第３のステップＳ２２〜Ｓ２４と基本的に同様のステップである）。次の第４のステップＳ３８において、必要であれば、結果的に変更されたファイルを含むソースデータを再フォーマットする。次の第５のステップＳ３９において、必要であれば、例えば適応される開始時間情報に従って、サブコードを適切に変更する。更に次の第６のステップＳ４０において、変更されたソースデータ及び結果的に変更されたサブコードを例えばパーソナルコンピュータ等の光記録装置に供給する。最後に、第７のステップＳ４１において、光記録装置によって光ディスクにデータを記録する（これらの第５〜第７のステップＳ３９〜Ｓ４１は、図８に示す光オーディオ記録担体のコピー処理の第１の実施例における第４〜第６のステップＳ２５〜Ｓ２７と基本的に同様のステップである）。
【００７０】
図１１は、本発明に基づくデジタルデータ記録担体をコピーする処理の第２の実施例のフローチャートである。第１のステップＳ４２において、例えば、オリジナルのデジタルデータ記録担体又はオリジナルのデジタルデータ記録担体のコンテンツを格納しているデータベースから、コピーするソースデータ及びサブコードを読み出す。次に、第２のステップＳ４３において、本発明に基づくコピープロテクトパターンを検出する。コピープロテクトパターンの検出の後、第３のステップＳ４４において、これらのパターンを他のパターンに置換し、又は削除する（これらの第１〜第３のステップＳ４２〜Ｓ４４は、図９に示す光オーディオ記録担体のコピー処理の第２の実施例における第１〜第３のステップＳ２８〜Ｓ３０と基本的に同様のステップである）。次の第４のステップＳ４５において、必要であれば、結果的に変更されたファイルを含むソースデータを再フォーマットする。次の第５のステップＳ４６において、必要であれば、例えば適応される開始時間情報に従って、サブコードを適切に変更する。更に、次の第６のステップＳ４７において、変更されたソースデータ（コピープロテクトパターンを含んでいない。）及び変更されたサブコードをマスタリングマシンの信号フィーダ線に供給する。最後に、第７のステップＳ４８において、スタンパを製作するのに必要な全ての工程を実行し、第８のステップＳ４９において、スタンパからディスクを製造する（これらの第５〜第８のステップＳ４６〜Ｓ４９は、図９に示す光オーディオ記録担体のコピー処理の第２の実施例における第４〜第７のステップＳ３１〜Ｓ３４と基本的に同様のステップである）。
【００７１】
保護されていない記録担体と、本発明に基づいて保護された記録担体の違いを明確にするために、「元のレイアウト」、すなわち保護されていない記録担体のレイアウトと、「変更されたレイアウト」、すなわち本発明に基づいて保護された記録担体のレイアウトのそれぞれの具体例を図１２ａ、１２ｂ及び図１３ａ、１３ｂに示す。図１２ａ、１２ｂは、本発明に基づく所定の繰返しビットパターンを有する及び有さないオーディオ記録担体のデータ構造を示し、図１３ａ、１３ｂは、本発明に基づく所定の繰返しビットパターンを有する及び有さないデジタルデータ記録担体のデータ構造を示している。各図のａは、それぞれ「元のレイアウト」を示し、各図のｂは、それぞれ「変更されたレイアウト」を示している。
【００７２】
図１２ａは、第１のリードイン部Lead-In1と、第１〜第４のオーディオトラックAudioTrack1〜AudioTrack4と、第１のリードアウト部Lead-Out1とを含むオーディオＣＤの元のレイアウトを示している。最初の３個のオーディオトラックAudioTrack1〜AudioTrack3の前には、それぞれ第１〜第３のポーズ部Ｐ１〜Ｐ３が設けられている。更に、図１２ａには、それぞれのトラックのトラック番号Track No.と、それぞれのセクションのインデックス番号Indexと、相対時間、すなわち各トラックにおける時間と、絶対時間、すなわちディスクにおける合計時間とを示している。
【００７３】
第１のリードイン部Lead-In1は、トラック番号００を有し、インデックス番号は有していない。これに続く、第１のオーディオトラックAudioTrack1の前の第１のポーズ部Ｐ１は、トラック番号０１とインデックス番号００を有している。第１のオーディオトラックAudioTrack1は、トラック番号０１とインデックス番号０１を有している。これに続く、第２のオーディオトラックAudioTrack2の前の第２のポーズ部Ｐ２は、トラック番号０２とインデックス番号００を有している。第２のオーディオトラックAudioTrack2は、トラック番号０２とインデックス番号０１を有している。これに続く、第３のオーディオトラックAudioTrack3の前の第３のポーズ部Ｐ３は、トラック番号０３とインデックス番号０１を有している。第３のオーディオトラックAudioTrack3は、トラック番号０３とインデックス番号０１を有している。これに続く第４のオーディオトラックAudioTrack4は、トラック番号０４とインデックス番号０１を有している。これに続く第１のリードアウト部Lead-Out1は、トラック番号ＡＡとインデックス番号０１を有している。４個のオーディオトラックAudioTrack1〜AudioTrack4及び第１のリードアウト部Lead-Out1は、それぞれ、０から各セクションの長さに対応する実時間までカウントアップした相対時間R-Timeを有する。３個のポーズ部Ｐ１〜Ｐ３は、それぞれ、各セクションの長さに対応する相対的な実時間から０までをカウントダウンした相対時間R-Timeを有する。ディスクの絶対時間A-Timeは、第１のポーズ部Ｐ１の最初から第１のリードアウト部Lead-Out1の最後に対応する実時間までをカウントアップした値である。
【００７４】
図１２ｂは、本発明の一実施例に基づいて変更されたオーディオＣＤのレイアウトを示している。このレイアウトは、第１のリードイン部Lead-In1と、４個のオーディオトラックAudioTrack1〜AudioTrack4と、３個のポーズ部Ｐ１〜Ｐ３と、第１のリードアウト部Lead-Out1とを有する図１２ａに示す元のレイアウトに加えて、本発明に基づく所定の繰返しビットパターンを含む第１〜第７のセクション１〜７を含んでいる。
【００７５】
第１、第４、第６のセクション１、４、６は、それぞれ、インデックス番号が００から０１に変化した位置に（又は直後に）配置されている。プレーヤは、トラックを直接選択する場合、読取用の光学系（reading optic）をこれらの各位置に配置する。書込可能な記録担体に対するこのような直接的な位置決め（direct positioning）を行う場合、多くのプレーヤは、再生の開始又は停止に長い時間を必要とするため、本発明に基づく所定の繰返しビットパターンは、このような観点からも非常に効率的である。
【００７６】
第２、第５、第７のセクション２、５、７は、それぞれトラックの最後に配置される（セクション２は、第１のオーディオトラックAudioTrack1の最後に、セクション５は、第２のオーディオトラックAudioTrack2の最後に、セクション７は、第４のオーディオトラックAudioTrack4の最後に配置される）。特に、これらのセクション２、５、７によって本発明に基づく所定の繰返しビットパターンの合計時間を長くすると、すなわち、これらのセクション２、５、７を本発明に基づく所定の繰返しビットパターンを含むセクションの直前又は直後に設けると、本発明に基づくコピープロテクト方式の効率を強めることができる。
【００７７】
第３のセクション３は、第２のポーズ部Ｐ２の全体に亘って配置され、これにより、第２及び第４のセクション２、４を「連結」することによって、本発明に基づく所定の繰返しビットパターンの合計時間を長引かせている。本発明に基づく所定の繰返しビットパターンを含むセクションが長く、又はこのようなセクションが途切れることなく連結されている場合、このようなセクションが短い場合に比べて、ＣＤプレーヤにとって読出処理が困難になる。
【００７８】
本発明に基づく所定の繰返しビットパターンを含むセクションをオーディオデータの前又は後に配置し、及びポーズオーディオデータを置換することにより、すなわち、第１、第２及び第４〜第７のセクション１、２、４〜７を追加的に挿入し、第３のセクション３によってポーズオーディオデータを置換することにより、本発明に基づく所定の繰返しビットパターンを含むセクションをオーディオデータに追加的に挿入することができる。
【００７９】
この実施例では、全てのポーズＰ１、Ｐ２、Ｐ３は、それぞれ２秒の長さを有し、全てのオーディオトラックAudioTrack1〜AudioTrack4は、それぞれ１分３０秒の長さを有する。また、第１、第２、第４、第５、第６、第７のセクション１、２、４、５、６、７は、それぞれ１秒の長さを有し、第３のセクション３は、第２のポーズＰ２に対応する長さを有している。したがって、オーディオディスクのテーブルオブコンテンツＴＯＣにおいて（他の情報とともに）示されるトラックの開始時刻を以下のように変更する必要がある。
【００８０】
【表２】
2005523544.tif 000004
【００８１】
【表３】
2005523544.tif 000005
【００８２】
図１３ａは、第２のリードイン部Lead-In2と、データトラックDataTrack1と、第２のリードアウト部Lead-Out2とを含むデータディスクの元のレイアウトを示している。データトラックDataTrack1の前には、プリギャップ部（pregap section）Ｐが設けられ、データトラックDataTrack1の後には、ポストギャップ部（postgap section）ＰＧが設けられている。更に、図１３ａには、それぞれのトラックのトラック番号Track No.と、それぞれのセクションのインデックス番号Indexと、相対時間、すなわち各トラックにおける時間と、絶対時間、すなわちディスクにおける合計時間とを示している。
【００８３】
第２のリードイン部Lead-In2は、トラック番号００を有し、インデックス番号は有していない。これに続くデータトラックDataTrack1の前のプリギャップ部Ｐは、トラック番号０１とインデックス番号００を有している。データトラックDataTrack1は、トラック番号０１とインデックス番号０１を有している。これに続くポストギャップ部ＰＧは、個々のトラック及びインデックス番号を有していない。これに続く第２のリードアウト部Lead-Out2は、トラック番号ＡＡとインデックス番号０１を有している。データトラックDataTrack1は、後続のポストギャップ部ＰＧを含み、第２のリードアウト部Lead-Out2は、０から各セクションの長さに対応する実時間までカウントアップした相対時間R-Timeを有する。プリギャップ部Ｐは、アクセスしている間の各セクションの長さに対応する実時間から０までをカウントダウンした相対時間R-Timeを有する。ディスクの絶対時間A-Timeは、プリギャップ部Ｐの最初から第２のリードアウト部Lead-Out2の最後に対応する実時間までをカウントアップした値である。
【００８４】
図１３ｂは、本発明の一実施例に基づいて変更されたデータＣＤのレイアウトを示している。このレイアウトは、第２のリードイン部Lead-In2と、データトラックDataTrack1と、プリギャップ部Ｐと、ポストギャップ部ＰＧと、第２のリードアウト部Lead-Out2とを有する図１３ａに示すレイアウトに加えて、本発明に基づく所定の繰返しビットパターンを含む第８〜第１１のセクション８〜１１含んでいる。
【００８５】
第８のセクション８は、インデックス番号が００から０１に変化した位置に（又は直後に）配置されている。プレーヤは、ディスクがプレーヤに挿入され、このディスクからデータを読み出す際に、読取用の光学系をこれらの各位置に配置する。書込可能な記録担体を用いる場合、多くのプレーヤ、この場合ＣＤ−ＲＯＭリーダは、ディスク上のデータの再生の開始又は読出の拒否に長い時間を必要とするため、上述のように、本発明に基づく所定の繰返しビットパターンは、このような観点からも非常に効率的である。
【００８６】
第９及び第１０のセクション９、１０は、それぞれデータトラックDataTrack1内に配置される。本発明に基づく所定の繰返しビットパターンは、ファイルの最後にユーザデータに付加された「ダミーデータ」として挿入してもよく、又は、本発明に基づく所定の繰返しビットパターンのみを含み、ユーザデータを全く含まない「ダミーファイル」として記録してもよい。
【００８７】
第１１のセクション１１は、データトラックDataTrack1の最後に配置される。これにより、本発明に基づくコピープロテクト方式の効率が高められる。
【００８８】
本発明に基づく所定の繰返しビットパターンを含むセクションにより、既存のデータ（例えば００データ）を置換してもよく、又は、このセクションを元のデータに挿入してもよい（例えば、データ構造内に「ダミーファイル」を追加してもよく、又は「ダミーデータ」をデータトラックの最後に配置してもよい）。
【００８９】
この実施例では、プリギャップ部Ｐは、２秒の長さを有し、ポストギャップ部ＰＧを含むデータトラックDataTrack1は、１５分０秒の長さを有する。したがって、００−データを第８のセクション８によって置換し、第９〜第１１のセクション９〜１１のそれぞれの長さが１秒であるとすると、データディスクのテーブルオブコンテンツＴＯＣにおいて（他の情報とともに）示されるトラックの開始時刻を以下のように変更する必要がある。
【００９０】
【表４】
2005523544.tif 000006
【００９１】
【表５】
2005523544.tif 000007
【００９２】
もちろん、本発明に基づいて変更されたオーディオディスク及びデータディスクのトラック構造は、レッドブック、イエローブック又はＩＥＣ−９０８の規格を満たし、これらの規格においては、ポーズ、プリギャップ、ポストギャップ、トラック番号、インデックス番号、絶対時間A-Time、相対時間R-Time、ＴＯＣ等の様々な用語が更に説明されている。
【００９３】
本発明に基づくコピープロテクト方式は、他のコピープロテクト方法、例えば上述した国際特許出願ＷＯ０１／７８０７４号に開示されているような、復号を妨害する両方の方法、すなわちクロック再生の妨害及び同期とタイミングの妨害と共に、コピー防止に用いることができる。更に、上述した国際特許出願ＷＯ０１／７８０７４号に開示されている再帰的なセッションポインタの構成、又はこれと上述した復号の妨害とを組み合わせて、本発明に基づくコピープロテクト方式と併用してもよい。しかしながら、このような場合、ＣＤ−ＲＯＭリーダ等の汎用の読出装置がコピープロテクトされた記録担体にアクセスできるという本発明の利点の１つが失われる。
【００９４】
ＣＤについて上述した方法は、同様の信号のレイアウト及び復号処理を用いるＤＶＤにも適用できる。
【図面の簡単な説明】
【００９５】
【図１】５８８個のチャンネルビットを含むＣＤフレームを示す図である。
【図２】本発明に基づく１つの繰返しビットパターンの２サイクルを示す図である。
【図３ａ】本発明に基づく第１の繰返しビットパターンに対応する、ランプ信号を有する及び有さないオーディオＤＣ値を示す図である。
【図３ｂ】本発明に基づく第１の繰返しビットパターンに対応する、ランプ信号を有する及び有さないオーディオＤＣ値を示す図である。
【図４ａ】本発明に基づく第２の繰返しビットパターンに対応する、ランプ信号を有する及び有さないオーディオＤＣ値を示す図である。
【図４ｂ】本発明に基づく第２の繰返しビットパターンに対応する、ランプ信号を有する及び有さないオーディオＤＣ値を示す図である。
【図５】本発明に基づくオーディオ記録担体の製造方法の第１の実施例のフローチャートである。
【図６】本発明に基づくオーディオ記録担体の製造方法の第２の実施例のフローチャートである。
【図７】本発明に基づくデジタルデータ記録担体の製造方法の実施例のフローチャートである。
【図８】本発明に基づくオーディオ記録担体をコピーする処理の第１の実施例のフローチャートである。
【図９】本発明に基づくオーディオ記録担体をコピーする処理の第２の実施例のフローチャートである。
【図１０】本発明に基づくデジタルデータ記録担体をコピーする処理の第１の実施例のフローチャートである。
【図１１】本発明に基づくデジタルデータ記録担体をコピーする処理の第２の実施例のフローチャートである。
【図１２ａ】本発明に基づく所定の繰返しビットパターンを有する及び有さないオーディオ記録担体のデータ構造を示す図である。
【図１２ｂ】本発明に基づく所定の繰返しビットパターンを有する及び有さないオーディオ記録担体のデータ構造を示す図である。
【図１３ａ】本発明に基づく所定の繰返しビットパターンを有する及び有さないデジタルデータ記録担体のデータ構造を示している。
【図１３ｂ】本発明に基づく所定の繰返しビットパターンを有する及び有さないデジタルデータ記録担体のデータ構造を示している。
【図１】
2005523544.tif 000008
【図２】
2005523544.tif 000009
【図３ａ】
2005523544.tif 000010
【図３ｂ】
2005523544.tif 000011
【図４ａ】
2005523544.tif 000012
【図４ｂ】
2005523544.tif 000013
【図５】
2005523544.tif 000014
【図６】
2005523544.tif 000015
【図７】
2005523544.tif 000016
【図８】
2005523544.tif 000017
【図９】
2005523544.tif 000018
【図１０】
2005523544.tif 000019
【図１１】
2005523544.tif 000020
【図１２ａ】
2005523544.tif 000021
【図１２ｂ】
2005523544.tif 000022
【図１３ａ】
2005523544.tif 000023
【図１３ｂ】
2005523544.tif 000024
【国際調査報告】
2005523544.tif 000025
2005523544.tif 000026
2005523544.tif 000027